(57)【要約】【課題】小さな力で、多数の洗濯ばさみの挟持部を同時に開くことができる洗濯物干しハンガー提供する。【解決手段】開閉軸４を中心として開閉し、洗濯物を挟持する一対の挟持部６，６と、作用部の前記挟持部６とは反対側端部に、前記開閉軸と並行な軸を中心として回転可能な回転部材１０と、を有する洗濯ばさみ３を、複数個支持枠２に吊下げた洗濯物干しハンガーであって、前記挟持部６を閉方向に付勢する付勢部材８と、前記支持枠２方向に向うほど縮径し、前記洗濯ばさみ３を支持枠２方向に移動させるほど、前記挟持部６が開くようにする案内面１４を有する案内部材１２と、前記洗濯ばさみ３を、前記支持枠２方向に移動させる牽引手段とを有し、前記洗濯ばさみ３が、前記案内面１４に沿って支持枠２方向に移動する際に、前記回転部材１０が前記案内面１４と当接する。【選択図】  図５
2012249738.tif 000002
【特許請求の範囲】
【請求項１】
開閉軸を中心として開閉し、洗濯物を挟持する一対の挟持部と、閉じることにより前記挟持部を開く一対の作用部と、前記作用部の前記挟持部とは反対側端部に、前記開閉軸と並行な軸を中心として回転可能な回転部材と、を有する洗濯ばさみを、複数個支持枠に吊下げた洗濯物干しハンガーであって、
前記挟持部を閉方向に付勢する付勢部材と、
前記支持枠方向に向うほど縮径し、前記洗濯ばさみを支持枠方向に移動させるほど、前記作用部を閉じて前記挟持部が開くようにする案内面を有する案内部材と、
前記洗濯ばさみを、前記支持枠方向に移動させる牽引手段とを有し、
前記洗濯ばさみが、前記案内面に沿って支持枠方向に移動する際に、前記回転部材が前記案内面と当接することを特徴とする洗濯物干しハンガー。
【請求項２】
前記案内部材を、開閉可能に形成し、該案内部材を閉じることにより、前記作用部を閉じるようにしたことを特徴とする請求項１記載の洗濯物干しハンガー。
【請求項３】
前記案内部材は、前記付勢部材により開方向に付勢されていることを特徴とする請求項２記載の洗濯物干しハンガー。
【請求項４】
前記洗濯物干しハンガーは、開閉可能な取外し具を備え、
前記取外し具は、前記牽引手段に係止し、
前記取外し具を閉じることにより、洗濯ばさみを支持枠方向に移動させて、前記挟持部が開くことを特徴とする請求項１又は２又は３記載の洗濯物干しハンガー。
【発明の詳細な説明】
【技術分野】
【０００１】
本発明は、洗濯物干しハンガーに関する。
【背景技術】
【０００２】
従来、洗濯物干しハンガーに掛けた複数の洗濯物を、その取り込む際に、一度に取外すことができる洗濯物干しハンガーとして下記のものが知られている。
【０００３】
例えば、洗濯物干しハンガーは、フレームと、該フレームとの間隔を変えることができる移動可能な多数の洗濯ばさみと、を有し、該洗濯ばさみは、洗濯物を挟持する一対の挟持部と、該挟持部を開閉するための一対の作用部と、前記挟持部を閉じる方向に付勢するバネ材を有している。前記各洗濯ばさみには、その一方の作用部に固定し、他方の作用部に設けた貫通穴に挿通する牽引紐を設け、各洗濯ばさみの牽引紐は、フレームに設けた取付穴に挿通した後にレバーに集結されている。そして、このレバーを手で引くと、多数の洗濯ばさみがフレーム方向に移動して、夫々の他方の作用部がフレーム等に当接し、更に牽引紐を引くと、各洗濯ばさみの両作用部が閉じて、挟持部が開き、多数の洗濯ばさみから同時に洗濯物が外れるものが知られている（例えば、特許文献１、２参照）。
【先行技術文献】
【特許文献】
【０００４】
【特許文献１】実登３０８７３６７号公報
【特許文献２】特開２００６−３４０９４７号公報
【発明の開示】
【発明が解決しようとする課題】
【０００５】
前記従来技術の洗濯物干しハンガーは、各洗濯ばさみを牽引する牽引紐が、各洗濯ばさみの一方の作用部に直接取り付けられているため、この多数の洗濯ばさみを同時に開く際には、前記バネ材の付勢力に抗して、各一方の作用部を他方の作用部へ直接引きこむ力でレバーを引く必要があるため、大きな力が必要となるという問題点がある。
【０００６】
そこで、本発明は、前記従来技術よりも小さな力で、多数の洗濯ばさみの挟持部を同時に開くことができる洗濯物干しハンガー提供することを目的とするものである。
【課題を解決するための手段】
【０００７】
前記の課題を解決するために、請求項１記載の発明は、開閉軸を中心として開閉し、洗濯物を挟持する一対の挟持部と、閉じることにより前記挟持部を開く一対の作用部と、前記作用部の前記挟持部とは反対側端部に、前記開閉軸と並行な軸を中心として回転可能な回転部材と、を有する洗濯ばさみを、複数個支持枠に吊下げた洗濯物干しハンガーであって、
前記挟持部を閉方向に付勢する付勢部材と、
前記支持枠方向に向うほど縮径し、前記洗濯ばさみを支持枠方向に移動させるほど、前記作用部を閉じて前記挟持部が開くようにする案内面を有する案内部材と、
前記洗濯ばさみを、前記支持枠方向に移動させる牽引手段とを有し、
前記洗濯ばさみが、前記案内面に沿って支持枠方向に移動する際に、前記回転部材が前記案内面と当接することを特徴とするものである。
【０００８】
請求項２記載の発明は、請求項１記載の発明において、前記案内部材を、開閉可能に形成し、該案内部材を閉じることにより、前記作用部を閉じるようにしたことを特徴とするものである。
【０００９】
請求項３記載の発明は、請求項２記載の発明において、前記案内部材は、前記付勢部材により開方向に付勢されていることを特徴とするものである。
【００１０】
請求項４記載の発明は、請求項１又は２又は３記載の発明において、前記洗濯物干しハンガーは、開閉可能な取外し具を備え、
前記取外し具は、前記牽引手段に係止し、
前記取外し具を閉じることにより、洗濯ばさみを支持枠方向に移動させて、前記挟持部が開くことを特徴とするものである。
【発明の効果】
【００１１】
本発明によれば、支持枠方向に向うほど縮径する案内面により、牽引手段で前記洗濯ばさみを支持枠方向に移動させた際に、洗濯ばさみの両作用部が閉じて挟持部が開くようにし、更に、洗濯ばさみが、案内面に沿って支持枠方向に移動する際に、作用部に設けた回転部材がこの案内面と当接するようにしたことにより、前記従来技術の洗濯物干しハンガーと比較して、手動で牽引手段を動かす力が小さくてよく、多数の洗濯ばさみの挟持部を、容易に一度に開くことができる。
【図面の簡単な説明】
【００１２】
【図１】本発明の実施例１に係る洗濯物干しハンガーの斜視図で、吊り紐のフックを外した図。
【図２】図１のＧ−Ｇ線部分断面図。
【図３】図１の状態から、蓋体を取外した状態の上面図。
【図４】図３の斜視図。
【図５】図２の拡大部分断面図で、洗濯ばさみを閉じた状態を示す図。
【図６】図５のＨ−Ｈ線断面図で、支持枠部と、案内部材のみ断面としている。
【図７】本発明の実施例１に用いる洗濯ばさみと案内部材の斜視図。
【図８】図５の状態から、洗濯ばさみと案内部材を支持枠方向に移動させ、洗濯ばさみの開状態を示す拡大部分断面図。
【図９】本発明の実施例２に係る洗濯物干しハンガーの部分側断面図。
【図１０】本発明の実施例３に用いる洗濯ばさみが案内部材に対して最下端に位置し、洗濯ばさみが閉じた状態の側面図。
【図１１】図１０の上面図。
【図１２】図１０の部分縦断面図。
【図１３】図１１の状態から案内部材を閉じた状態の上面図。
【図１４】図１０の状態から案内部材を閉じて、洗濯ばさみを開いた状態の部分縦断面図。
【図１５】図１０の状態から、洗濯ばさみを案内部材に対して上昇させた状態の部分縦断図。
【図１６】本発明の実施例３に用いる案内部材の２つの構成部材を分離した状態の正面図。
【図１７】本発明の実施例３に用いる第１構成部材を内側から見た側面図。
【図１８】図１７の斜視図。
【図１９】図１２のＩ−Ｉ線断面図。
【発明を実施するための形態】
【００１３】
本発明を実施するための形態を図に基づいて説明する。
［実施例１］
図１乃至図８は、本発明の実施例１を示す。
【００１４】
図１は、吊り紐４０のフック４１を外した状態の洗濯物干しハンガー１の斜視図である。以下において、図２の上方を上Ａ、下方を下Ｂ、図２の右側を右Ｃ、左側を左Ｄ、図３の下方を前Ｅ、上方を後Ｆとして説明する。
【００１５】
洗濯物干しハンガー１は、図２，４に示すように、支持枠２を有し、該支持枠２から下方に多数の洗濯ばさみ３が吊下げられている。吊下げる洗濯ばさみ３の数は、任意に設定することができるが、本実施例においては４０個設けた。
【００１６】
前記洗濯ばさみ３は、図５に示すように、開閉軸４と、該開閉軸４を中心に開閉可能な一対の挟持部材５，５を有し、該挟持部材５は樹脂で成形されている。各挟持部材５は、その下端部に洗濯物等を挟持する挟持部６が形成され、前記挟持部材５における前記開閉軸４よりも上方には作用部７が形成されている。該作用部７は、図５に示すように、挟持部６，６が閉じた状態において、上方Ａに向うほど、外側方向に拡がるように形成され、図５，７に示すように作用部７，７を開いたとき挟持部６，６が閉じ、図８に示すように作用部７，７を閉じたとき挟持部６，６が開くようになっている。
【００１７】
前記挟持部材５，５には、挟持部６，６を閉方向に付勢する付勢部材８が設けられている。該付勢部材８は、挟持部６，６を閉方向に付勢することができれば任意の部材を用いることが出来、例えば、鋼線、バネ材、ゴム材等を用いることが出来、本実施例では、円弧状の鋼線を用いた。
【００１８】
前記作用部７の上端部には、前記開閉軸４と略平行に設けた回転軸９を中心として回転可能な回転部材１０が設けられている。回転部材１０は、回転軸９を中心として回転可能であれば、球状、円柱状等任意の形状とすることができ、本実施例においては、球状に形成した。
【００１９】
前記各洗濯ばさみ３の上方には、図５〜８に示すように、案内部材１２が設けられ、該案内部材１２の内部には下Ｂ方に開口部を有する中空１３が形成されている。該中空１３、すなわち、案内部材１２に対して、後述するように前記洗濯ばさみ３は、相対的に上下方向に移動可能に設けられている。洗濯ばさみ３が、案内部材１２に対して最も下がった位置は、図５に示す位置で、中空１３内の下端部に位置するようになっている。
【００２０】
前記案内部材１２は、その図５における前後面が、下Ｂ方向が拡開する三角形状に形成され、前記中空１３は、その図５における前後面が、下Ｂ方向が拡開する三角形状に形成されている。図５における中空１３の両側面（左右面）は、下Ｂ方ほど拡径し、上Ａ方ほど縮径するテーパ状の案内面１４に形成され、両案内面１４の下Ｂ端には、中空１３の上下方向の軸と略並行の係止面１５が形成されている。そして、洗濯ばさみ３が、案内部材１２に対して最も下がった際に、前記回転部材１０，１０が、係止面１５，１５に当接するか、もしくはその内側に位置するようになっている。
【００２１】
前記係止面１５，１５間の距離は、前記回転部材１０，１０が案内部材１２に対して最も下がった位置において、両係止面１５，１５間に前記一対の回転部材１０，１０が位置した際に、前記挟持部６，６の挟持面６ａ，６ａが当接して、挟持部６，６が閉じるように設定されている。また、洗濯ばさみ３が、前記中空１３に対して上Ａ方に移動し、一対の回転部材１０，１０が両案内面１４，１４の上部に当接した際に、作用部７，７が閉じて、前記挟持部６，６が所定量開くことができるように、テーパ面１４の角度が設定されている。また、中空１３の図５における前後面１３ａ，１３ａ間（図６参照）の距離は、洗濯ばさみ３の上端部の厚みより若干広く形成されている。これにより、洗濯ばさみ３と案内部材１２との、水平方向の相対的な回転が抑制され、洗濯ばさみ３は、案内面１４，１４に沿って、案内部材１２に対して上下動するようになっている。
【００２２】
なお、前記案内面１４は、上Ａ方に向うほど縮径し、前記回転部材１０，１０が、案内部材１２に対して最も下がった位置において、前記挟持部６，６が閉じ、洗濯ばさみ３が、前記中空１３に対して上Ａ方に移動し、一対の回転部材１０，１０が両案内面１４，１４の上部に当接した際に、前記挟持部６，６が所定量開くことができれば、任意の形状とすることができる。
【００２３】
前記案内部材１２の中心部には円筒１７が、該円筒１７の中心軸が、案内部材１２の上下方向の中心軸と、略同一となるように固設され、円筒１７の上端は前記案内部材１２の上端に位置し、円筒１７の下端は、中空１３の下端部に位置するように形成されている。円筒１７の上端には上蓋１７ａ，下端には下蓋１７ｂが設けられ、両蓋１７ａ，１７ｂの中心には穴１７ｃが形成されている。
【００２４】
円筒１７の内部には、円柱状の係合部材１８が昇降可能に設けられ、該係合部材１８の外径は、前記穴１７ｃの内径より大きく、円筒１７の内径よりも若干小さく設定されている。前記係合部材１８と上蓋１７ａとの間には圧縮バネ等の付勢部材２０が設けられ、該付勢部材２０により係合部材１８は洗濯ばさみ３方向に付勢され、洗濯ばさみ３は、案内部材１２に対して下Ｂ方に付勢されている。
【００２５】
係合部材１８の下Ｂ端と、前記洗濯ばさみの付勢部材８の上Ａ端とが、前記下蓋１７ｂの穴１７ｃを介して、可撓性の少ないワイヤ等の鋼線などからなる連結線材１９により連結されている。また、係合部材１８の上Ａ端と、後述するケース２１の溝３３内の牽引線材２２とが、前記上蓋１７ｂの穴１７ｃを介して、樹脂等で形成された折り曲げ可能な吊下紐２４により連結されている。
【００２６】
前記支持枠２は、ケース２１と蓋体２３とで構成されている。前記ケース２１は、図２〜４に示すように、左側ケース２１ａと右側ケース２１ｂを有し、左右ケース２１ａ，２１ｂは回転軸２５で連結されている。ケース２１は、図２〜４に示す状態から、回転軸２５を中心としてケース２１の左右方向（Ｃ−Ｄ方向）の中央が上Ａ方に、ケース２１の両端部が下Ｂ方に向って回動することにより、ケース２１を折り畳むことができるようになっている。また、左右のケース２１ａ，２１ｂは、図２〜４に示すように、後述する棧３０，３０のストッパー部３０ａ，３０ａが当接して、略水平となる状態を保持することができるようになっている。
【００２７】
左右ケース２１ａ，２１ｂは、夫々に左右方向（Ｃ−Ｄ方向）に並行して設けられた４本の主枠を有している。左側ケース２１ａの４本の主枠２７の外側端部（左Ｄ側端部）は、側枠２８で連結されている。右側ケース２１ｂの４本の主枠２７の外側端部（右Ｃ側端部）は、側枠２８で連結されている。左側ケース２１ａの４本の主枠２７のうち、図３の前Ｅ側２本の主枠２７，２７相互と、後Ｆ側２本の主枠２７，２７相互は、左右方向（Ｃ−Ｄ方向）の中央側端部において夫々棧３０で連結され、右側ケース２１ｂの４本の主枠２７のうち、前Ｅ側２本の主枠２７，２７相互と、後Ｆ側２本の主枠２７，２７相互は、左右方向（Ｃ−Ｄ方向）の中央側端部において夫々棧３０で連結され、隣接する主枠２７，２７間には、補強部材３１が設けられている。左側ケース２１ａの前後方向（Ｅ−Ｆ方向）の中央部の補強部材３１と、右側ケースの２１ｂの前後方向（Ｅ−Ｆ方向）の中央部の補強部材３１との間隔は、両ケース２１ａと２１ｂが略水平となった状態において、所定量離間するように形成され、支持枠２の中央部に、使用者の手を挿入することができる空間３５が形成されている。
【００２８】
前記各主枠２７は、図２〜６に示すように、断面が略方形で長尺に形成され、その長手方向が左右方向（Ｃ−Ｄ方向）に位置するように設けられている。夫々の主枠２７の中央側端部には上Ａ側部と前後Ｅ、Ｆ側部が開口し、左右方向（Ｃ−Ｄ方向）及び下面が閉塞する切欠き３２が形成されている。また、夫々の主枠２７には、その上Ａ面のみが開口する溝３３が長手方向に形成され、溝３３の中央側端は切欠き３２と連通し、溝３３の外側端部は閉塞している。
【００２９】
また、前記主枠２７の長手方向（Ｃ−Ｄ方向）には、図２に示すように、溝３３の底面と、主枠２７の下面とを連通する穴３４が、適宜間隔を有して複数設けられている。この穴３４の個数、及びその間隔は任意に設定し、本実施例においては、穴３４を、５個、長手方向に略等間隔となるように設けた。
【００３０】
前記溝３３内には、ワイヤ等の鋼線などからなる牽引線材２２が、左右方向（Ｃ−Ｄ方向）に移動可能に設けられ、その左右方向の外側端は、最も外側に位置する穴３４より外側に位置し、その左右方向の中央側端は、後述する引手部材３８に連結されている。牽引線材２２の外側端部と、溝３３の左右方向の外側端面との間には、圧縮コイルスプリング等の付勢部材３６が設けられ、該付勢部材３６により、牽引線材２２は左右方向の外側方向に付勢されている。この牽引線材２２には、前記夫々の吊下紐２４の上端が固定されている。前記左側ケース２１ａにおける前後方向の４個の切欠き３２に亘って、棒状の引き手部材３８が、切欠き３２の左右方向（長手方向）に移動可能に設けられ、前記右側ケース２１ｂにおける前後方向の４個の切欠き３２に亘って、棒状の引き手部材３８が、切欠き３２の左右方向（長手方向）移動可能に設けられている。また、各切欠き３２の底面には、案内溝３２ａが左右方向に形成され、該案内溝３２ａには、前記引き手部材の下部から下側方向に突出する凸部３８ａが摺動可能に係合している。
【００３１】
前記の構成により、空間３５内には、左右の引手部材３８，３８が、その相互の間隔を拡縮可能に設けられている。
【００３２】
前記ケース２１の上部には前記蓋体２３が、ネジ（図示しない）等の適宜連結手段により固設されている。この蓋体２３により、前記切欠き３２と溝３３の上面は覆われ、引手部材３８は、ケース２１と蓋体２３により、その左右方向が摺動可能に上下を挟持され、その切欠き３２の方向、すなわち、左右方向（Ｃ−Ｄ方向）のみ移動することができるようになっている。
【００３３】
前記ケース２１の４隅には固定部３９が設けられ、該固定部３９に対して吊り紐４０の一端が、回動可能に連結され、吊り紐４０の他端には、回動可能にフック４１が設けられている。
【００３４】
前記引手部材３８と、牽引線材２２と、吊下紐２４により牽引手段４２を構成している。
【００３５】
次に、洗濯物干しハンガー１に干した洗濯物の取外し方法について説明する。
洗濯物干しハンガー１の支持枠２を、図１，２に示すように、左右に開き、複数の洗濯ばさみ３に洗濯物が干されている状態において、前記空間３５内に使用者の手を挿入し、引手部材３８，３８を、各付勢部材３６の付勢力に抗して、切欠き３２に沿って左右方向の中央方向（図３のＸ方向）に引いて相互間を縮めると、溝３３内の各牽引線材２２が左右方向の中央側に引かれて、牽引線材２２に連結された吊下紐２４の上Ａ端が、図５の状態から中央方向に引かれ、吊下紐２４の下部に連結された係合部材１８、案内部材１２、洗濯ばさみ３がともに、支持枠２方向に移動する。そして、案内部材１２の上端が、支持枠２の下面に当接した後に、更に引手部材３８を中央側に移動させると、係合部材１８が、付勢部材２０の付勢力に抗して支持枠２方向に移動すると共に、洗濯ばさみ３が、案内部材１２の案内面１４に沿って上Ａ方向に移動する。案内面１４は上方に向かうほど縮径しているため、洗濯ばさみ３が上Ａ方向に移動するほど、一対の作用部７，７は徐々に閉じ、一対の挟持部６，６は徐々に開いて、洗濯物が洗濯ばさみ３から下方に落下して、取外すことができる。
【００３６】
このように、左右の引手部材３８，３８を引くことで、全ての洗濯ばさみ３の挟持部６，６を開き、洗濯物を一度に取外すことができる。
【００３７】
この洗濯ばさみ３が上方に移動する際には、案内面１４が上方に向うほど縮径していることにより、回転部材１０が回転しながら、案内面に沿って洗濯ばさみが、案内部材１２に対して上方に移動するため、案内面１４と洗濯ばさみ３との摩擦力を小さくでき、従来の洗濯物干しハンガーと比較して、小さな力で、引手部材３８を動かして、多数の洗濯ばさみの挟持部を一度に開き、洗濯物を一度に取外すことができる。
【００３８】
更に、洗濯物を取外した後に、両引手部材３８，３８から手を離すと、各付勢部材３６により、各牽引線材２２が左右方向の外側方向に移動するとともに、吊下紐２４が下方に移動し、付勢部材２０により係合部材１８が下方に移動し、洗濯ばさみ３が案内部材１２に対して下方に移動するとともに、付勢部材８により洗濯ばさみ３の挟持部６，６は閉じる。
【００３９】
また、洗濯物を干す場合には、各洗濯ばさみ３の作用部７，７を手で直接閉じることにより、挟持部６，６を開け、任意の洗濯ばさみ３に洗濯物を吊下げることができる。
【００４０】
なお、牽引手段４２は、吊下紐２４を支持枠２方向に移動させて、洗濯ばさみ３を、案内部材１２に対して上方に移動させることができれば、任意の構造とすることができる。
【００４１】
例えば、牽引線材２２により、複数の吊下紐２４の上端を左右方向（Ｃ−Ｄ方向）に移動させるのではなく、複数の吊下紐２４の上端を連結した牽引線材２２を上Ａ方に移動させることにより、吊下紐２４を支持枠２方向に移動させて、洗濯ばさみ３を案内部材１２に対して上方に移動させるようにしてもよい。
【００４２】
［実施例２］
図９は実施例２を示す。
【００４３】
本実施例２は、前記実施例１における左右の引手部材３８，３８間に、Ｘ字状の取外し具５０を設けたものである。
【００４４】
該取外し具５０は、図９に示すように、一対の構成部材５１，５１を有し、両構成部材５１と５１は、回転軸５２を中心として、回動可能にＸ字状に連結されている。回転軸５２は、前記引手部材３８の中心軸と略並行に設けられている。前記両構成部材５１，１５の上端部５３は略円状に形成され、引手部材３８，３８に対して、その中心軸を中心として回転可能に連結されている。
【００４５】
前記構成部材５１，５１の下端部５４，５４を閉じることにより、左右の引手部材３８と３８は、切欠き３２に沿って、中心方向に移動し、多数の洗濯ばさみの挟持部を一度に開き、洗濯物を一度に取外すことができる。
【００４６】
その他の構造は前記実施例１と同様であるため、その説明を省略する。
本実施例２においても前記実施例１と同様の効果を奏する。
【００４７】
本実施例２は、前記取外し具５０を設けたことにより、前記実施例１よりも容易に左右の引手部材３８と３８を、左右方向の中央側に移動させて、容易に洗濯物を取外すことができる。
【００４８】
［実施例３］
図１０乃至図１９は実施例３を示し、本実施例３の洗濯ばさみ６１及び案内部材６２は、前記実施例１、２の洗濯ばさみ３及び案内部材１２と構造が異なるものである。以下の洗濯ばさみ６１及び案内部材６２の説明において、図１０における左を左Ｊ、右を右Ｋ、図１１における下を前Ｌ、上を後Ｍとして説明する。
【００４９】
前記実施例１の洗濯ばさみ３は、付勢部材８により挟持部６，６を閉方向に付勢したが、本実施例３の洗濯ばさみ６１は、付勢部材７０により作用部７，７を開方向に付勢することにより、挟持部６，６を閉方向に付勢している。付勢部材７０は、作用部７，７が開方向に付勢することができれば任意の部材を用いることが出来、例えば、鋼線、バネ材、ゴム材等を用いることが出来、本実施例では、開方向に付勢する山形状の一体のバネ材を用いた。
【００５０】
前記作用部７の上方には、その上端より内側上方に曲折するストッパ部７２が形成され、図１０に示すように、洗濯ばさみ６１の作用部７と案内部材６２とが共に開いた状態において、該ストッパ部７２の外側面７２ａが、後述する構成部材６２ａ，６２ｂのテーパ面６４ａと略並行となるように形成されている。このストッパ部７２により、洗濯ばさみ６１の作用部７と案内部材６２とが共に開いた状態において、案内部材６２の上下方向の軸に対して、洗濯ばさみ６１の上下方向の軸が傾くのを抑制することができる。なお、このストッパ部７２は、洗濯ばさみ６１の作用部７と案内部材６２とが共に開いた状態において、案内部材６２の上下方向の軸に対して、洗濯ばさみ６１の上下方向の軸が傾くのを抑制することができれば任意の形状とすることができる。
【００５１】
洗濯ばさみ６１の作用部７とストッパ部７２との間の曲折部には、洗濯ばさみ６１の挟持部６が閉じた状態において、その左右方向（Ｊ−Ｋ方向）の外側に突出する前後腕７１ｂ，７１ｃが設けられ、前後腕７１ｂ，７１ｃの左右方向（Ｊ−Ｋ方向）の外側端部に連結された回転軸７１ａとからなコ字状の連結金具７１が固設され、該回転軸７１ａには、前記実施例１と同様の回転部材１０が回転可能に設けられている。
【００５２】
洗濯ばさみ６１の他の構造は、前記実施例１の洗濯ばさみ３と同様の構造で構成されている。
【００５３】
前記案内部材６２は、図１６に示すように、第１構成部材６２ａと第２構成部材６２ｂで構成され、両構成部材６２ａと６２ｂは、回転軸６３ａを中心として開閉可能に連結され、該案内部前記付勢部材７０により開方向に付勢されている。
【００５４】
両構成部材６２ａと６２ｂの内側面は、図１０，１２，１４，１５に示すように、開閉軸６３から下Ｂ方に向う程、拡開するテーパ面６４ａで形成され、両構成部材６２ａと６２ｂの内側面における、テーパ面６４ａより上方には、ストッパー面６４ｂが形成され、両構成部材６２ａと６２ｂのストッパー面６４ｂ，６４ｂが当接することにより、構成部材６２ａ，６２ｂが所定以上、すなわち、図１０に示す状態よりも開かないようになっている。
【００５５】
前記第１構成部材６２ａの上端部の前Ｌ側には、その上端部から左右方向（Ｊ−Ｋ方向）の内側に突出する長方形状の突片６５ａが設けられ、該突片６５ａの左右方向（Ｊ−Ｋ方向）の長さは、案内部材６２が開閉何れの状態においても、前記突片６５ａの下面の一部が、第２構成部材６２ｂの上面に当接するように設定されている。前記第２構成部材６２ｂの上端部の後Ｍ側には、その上端部から左右方向（Ｊ−Ｋ方向）の内側に突出する長方形状の突片６５ｂが設けられ、該突片６５ｂの左右方向（Ｊ−Ｋ方向）の長さは、案内部材６２が開閉何れの状態においても、前記突片６５ｂの下面の一部が、第１構成部材６２ａの上面に当接するように設定されている。
【００５６】
前記第１構成部材６２ａの後側面から後Ｍ側に突出する回転軸６３ａが設けられ、該回転軸６３ａの外側には、回転軸６３ａより大径の抜け止め部６３ｂが設けられ、第１構成部材６２ａの前側面には、左右方向（Ｊ−Ｋ方向）の内側に突出する円弧状の係合フック６３ｃが形成されている。該係合フック６３ｃの内側には、第２構成部材６２ａの回転軸６３ａが挿入可能な開口部が形成されている。また、前記第２構成部材６２ｂは、前記第１構成部材６２ａと同様の形状に形成され、すなわち、第１構成部材６２ａと同様の形状に形成された部材を左右反転させて用いている。これにより、構成部品の種類を削減し、コストの低減を図っている。
【００５７】
一方の構成部材６２ａ（６２ｂ）の開閉軸６３ａを、他方の構成部材６２ｂ（６２ａ）の係合フック６３ｃの開口部から圧入することにより、スナップフィットで、開閉軸６３ａと係合フック６３ｃは係合し、両構成部材６２ａ，６２ｂが開閉可能に連結されている。
【００５８】
前記両構成部材６２ａ，６２ｂのストッパー面６４ｂ，６４ｂには上下方向全体に亘って、横断面が半円で、左右方向（Ｊ−Ｋ方向）の内側に開口する溝６４ｃ，６４ｃが形成されている。該溝６４ｃの横断面の内径は下Ｂ方に向うほど大きくなるように形成されている。前記両構成部材６２ａと６２ｂの突片６５ａと６５ｂは離間して設けられ、その間隔は、溝６４ｃの上端の内径よりも大きく設定されている。この両突片６５ａ，６５ｂと溝６４ｃ，６４ｃにより、吊下紐２４が挿通される挿通孔６６が構成される。案内部材６２が開閉しても、前記両突片６５ａ，６５ｂにより吊下紐２４が、挿通孔６６から外側に外れないようになっている。
【００５９】
両構成部材６２ａ，６２ｂのテーパ面６４ａ左右方向（Ｊ−Ｋ方向）の内側には、図１２，１４，１５，１７〜１９に示すように、内側のみが開口する案内溝６７が、テーパ面６４ａの上下方向（Ａ−Ｂ方向）略全体に亘って形成されている。該案内溝６７は、図１９に示すように半円状の第１凹部６７ａと、該第１凹部６７ａより案内部材６２における内側に形成された方形状の第２凹部６７ｂで構成されている。該第１凹部６７ａの内径は、前記回転部材１０の直径よりも若干大きく設定され、この第１凹部６７ａの内径は、第２凹部６７ｂの前後（Ｌ−Ｍ）の内径よりも小さく設定されている。また、連結金具７１の前後腕７１ｂ，７１ｃの間隔は、第２凹部６７ｂの前後（Ｌ−Ｍ）の内径よりも小さく設定されている。回転部材１０は、図１９に示すように、案内溝６７内に設けられ、回転軸７１ａは、第２凹部６７ｂ内に位置している。
【００６０】
前記第１凹部６７ａの内面で構成される第１案内面７５は、図１０に示すように案内部材６２が開いた状態において、上Ａ方に向うほど内側に縮径するテーパ状に形成されている。なお、この第１案内面７５は、前記回転部材１０，１０が、案内部材６２に対して最も下がった場合、前記挟持部６，６が閉じ、洗濯ばさみ６１が、前記案内部材６２に対して上Ａ方に移動し、一対の回転部材１０，１０が両第１案内面７５，７５の上部に当接した際に、前記挟持部６，６が所定量開くことができれば、任意の形状とすることができる。
【００６１】
前記第２凹部６７ｂの内側開口部には、図１２，１４〜１９に示すように、板状部材７６により、その一部が閉塞されている。板状部材７６は、その下端のみが第２凹部６７ｂの下端に固設され、板状部材７６の両側部６７ｆと上方６７ｇは、図１８に示すように開口している。前記板状部材７６の両側の開口部には、図１９に示すように、前記連結金具７１の前後腕７１ｂ，７１ｃが配置され、板状部材７６と第１凹部６７ａとの間に前記回転軸７１ａが配置されている。
【００６２】
前記板状部材７６の第１凹部６７ａ側面は、第２案内面７７が形成されている。該第２案内面７７は、図１２，１５に示すように、上Ａ方に向うほど内側方向に傾斜するテーパ状に形成され、対向する両板状部材７６，７６間が上Ａ方に向うほど縮径している。なお、この第２案内面７７は、前記回転部材１０，１０が、案内部材６２に対して最も下がった場合、前記挟持部６，６が閉じ、洗濯ばさみ６１が、前記案内部材６２に対して上Ａ方に移動し、一対の回転部材１０，１０が両第２案内面７７，７７の上部に当接した際に、前記挟持部６，６が所定量開くことができれば、任意の形状とすることができる。
【００６３】
前記付勢部材７０の上端部には、可撓性の少ない鋼線等で形成された案内軸７０ａが固設されている。案内軸７０ａの長さは、洗濯ばさみ６１が案内部材６２に対して所定量上方に移動した際に挿通孔６６内に挿通し、図１４に示すように、洗濯ばさみ６１が案内部材６２対して最も高い位置に位置した際に、案内軸７０ａの上端が挿通孔６６の上端よりも下方に位置する長さに所望に設定されている。
【００６４】
前記案内軸７０ａの上端には、樹脂等で形成された折り曲げ可能な吊下紐２４が連結さている。また、この吊下紐２４は、前記挿通孔６６に挿通され、その上端は、前記実施例１と同様に牽引線材２２に連結されている。
【００６５】
該案内部材６２の案内溝６７内には、洗濯ばさみ６１の回転部材１０が配置され、前記付勢部材７０により、作用部７，７が開方向に付勢されていることから、付勢部材７０により案内部材６２も開方向に付勢される。
【００６６】
個々の洗濯ばさみ６１を開くには、案内部材６２の構成部材６２ａ，６２ｂを左右から持って、図１４に示すように、付勢部材７０の付勢力に抗して閉じることにより、洗濯ばさみ６１の挟持部６，６を開くことができる。
【００６７】
また、前記実施例１と同様に、洗濯物干しハンガー１の支持枠２を、図１，２に示すように、左右に開き、複数の洗濯ばさみ６１に洗濯物が干されている状態、すなわち、図１２の状態において、引手部材３８，３８の相互間を縮めるように引くと、牽引線材２２に連結された吊下紐２４の下端が上方に移動し、吊下紐２４に連結された案内軸７０ａと洗濯ばさみ６１が支持枠２方向に移動する。そして、案内部材６２の上端が、支持枠２の下面に当接した後に、更に引手部材３８を中央側に移動させると、洗濯ばさみ６１が、案内部材６２の案内面７５，７７に沿って上Ａ方向に移動する。案内面７５，７７は上方に向かうほど縮径しているため、図１５に示すように、洗濯ばさみ６１が上Ａ方向に移動するほど、両回転部材１０，１０が案内面７５，７５により案内部材６２の内側へ移動し、一対の作用部７，７は徐々に閉じ、一対の挟持部６，６は徐々に開いて、洗濯物が洗濯ばさみ６１から下方に落下して、洗濯物を取外すことができる。
【００６８】
このように、本実施例３においても、前記実施例１と同様に、左右の引手部材３８，３８を引くことで、全ての洗濯物を一度に取外すことができる。
【００６９】
その他の構造は前記実施例１，２と同様であるため、その説明を省略する。
本実施例３においても前記実施例１，２と同様の効果を奏する。
【００７０】
前記実施例１の洗濯ばさみ３では、案内部材１２が開閉しないために、個々の洗濯ばさみ３を開く際に案内部材１２が邪魔になることがあるが、本実施例３においては、案内部材６２を開閉可能としたことにより、洗濯ばさみ６１の開閉の際に、案内部材６２を手で直接開閉することにより、洗濯ばさみ６１を開閉でき、案内部材６２が邪魔になることなく、容易に開閉することができる。
【符号の説明】
【００７１】
１  洗濯物干しハンガー
２  支持枠
３，６１  洗濯ばさみ
４  開閉軸
６  挟持部
７  作用部
８，７０  付勢部材
１０  回転部材
１２，６２  案内部材
１４，７５，７７  案内面
４１  牽引手段
５０  取外し具
【図１】
2012249738.tif 000003
【図２】
2012249738.tif 000004
【図３】
2012249738.tif 000005
【図４】
2012249738.tif 000006
【図５】
2012249738.tif 000007
【図６】
2012249738.tif 000008
【図７】
2012249738.tif 000009
【図８】
2012249738.tif 000010
【図９】
2012249738.tif 000011
【図１０】
2012249738.tif 000012
【図１１】
2012249738.tif 000013
【図１２】
2012249738.tif 000014
【図１３】
2012249738.tif 000015
【図１４】
2012249738.tif 000016
【図１５】
2012249738.tif 000017
【図１６】
2012249738.tif 000018
【図１７】
2012249738.tif 000019
【図１８】
2012249738.tif 000020
【図１９】
2012249738.tif 000021